(57)【特許請求の範囲】
【請求項１】
液晶パネルと、この液晶パネルを支持する支持手段と、上記液晶パネルの周辺を被覆する額縁状の金属フレームとを有したものにおいて、この金属フレームを上下左右に分割した枠体にて構成し、前記枠体は上面部と側面部とからなり、前記分割した各枠体を支持手段に固定した後、枠体同士を各コーナー部分で連結した事を特徴とする液晶表示装置。
【請求項２】
上記液晶パネルを矩形状に構成すると共に、上記上下の枠体と左右の枠体を大きさの異なる別々の板材から抜き取り成形した事を特徴とする、上記請求項１に記載の液晶表示装置。
【発明の詳細な説明】
【０００１】
【発明の属する技術分野】
本発明は、主に比較的大形の液晶表示装置に適した液晶表示装置に関するものである。
【０００２】
【従来の技術】
一般的な液晶表示装置においては、例えば特開平１１−１６０６８１号公報や特開平１１−３０５２０５号公報等に示される様に、液晶パネルやバックライトを金属板金製の金属フレーム内に収納している。
【０００３】
一方、例えば図７にて示す様に、上記金属フレーム５０は、中央部に窓孔５１を穿孔した額縁状に形成されている為、図８にて示す平板状の板材５２からプレス加工等によって抜き取り成形した場合、上記窓孔５１を抜き取った部分５３が大きな廃材となり、コストアップを招いているという問題がある。
【０００４】
更に、上記金属フレーム５０は平面的にロ字状を成し、全体が一体成形されている為、例えば図９にて示す様に、金属フレーム５０をビス留め固定する内部支持枠５４との間に寸法誤差を吸収するクリアランス５５が必要となり、金属フレーム５０を内部の構成部品にビス５６留めして締め付けると、クリアランスによりビス留め部分が内側に変形して金属フレーム全体に歪が発生し、上記窓枠５１のエッジ部分５７が図１０にても示す様に上下に変形し、液晶パネルの表示品質等に影響を及ぼすという問題もある。
【０００５】
【発明が解決しようとする課題】
そこで本発明は、金属フレームの成形時におけるコストダウンや、金属フレームの固定時における液晶パネルの表示品質への影響を防止する事を目的とするものである。
【０００６】
【課題を解決するための手段】
本発明は、液晶パネルと、この液晶パネルを支持する支持手段と、液晶パネルの周辺を被覆する額縁状の金属フレームとを有したものにおいて、金属フレームを上下左右に分割した枠体にて構成し、前記枠体は上面部と側面部とからなり、前記分割した各枠体を支持手段に固定した後、枠体同士を各コーナー部分で連結して成るものである。
【０００７】
又本発明は、液晶パネルを矩形状に構成すると共に、上下の枠体と左右の枠体を大きさの異なる別々の板材から抜き取り成形して成るものである。
【０００９】
【発明の実施の形態】
本発明の実施例を先ず図１〜図３に基づき説明すると、１は例えば１５インチ以上の比較的大型で横長の液晶パネルで、大画面に適したＳＴＮ液晶パネルやＴＦＴ液晶パネルで構成している。
【００１０】
又、上記液晶パネル１の背面には、板厚が２〜３ｍｍ程度でアクリルやポリカーボネート等の透光性樹脂からなる光拡散板２の前面に集光性シート３・等を積層したシート類を配置している。
【００１１】
４は有底箱状の底ケースで、開口部５に上記光拡散板２等のシート類を配置していると共に、開口部５の口縁に外側に向けて一体に折曲形成した鍔部６に、板金を略Ｌ字状に折曲成形したセンターシャーシ７をビス８留めし、このセンターシャーシの上片９と上記鍔部６により、上記シート類を開口部５に固定し、かつ上記センターシャーシ７の上片９の前面上に上記液晶パネル１を載置し、上記底ケース４とセンターシャーシ７を中心に支持手段を構成している。
【００１２】
１０は上記液晶パネル１の周辺を被覆して固定する金属性薄板の成形品からなる金属フレームで、液晶パネル１の上下周辺を被覆する長辺枠体１０ａ，１０ａと、同じく左右周辺を被覆する短辺枠体１０ｂ，１０ｂを各コーナー部分で連結して額縁状に構成している。これら長辺枠体１０ａ，１０ａと短辺枠体１０ｂ，１０ｂは、上面部１１ａ，１１ａ，１１ｂ，１１ｂを上記センターシャーシ７の上片９に切起し形成した取付け片１２・・にビス１３留めするすることで、これら上面部とセンターシャーシ７の上片９との間に液晶パネル１を固定している。又、上記長辺枠体１０ａ，１０ａと短辺枠体１０ｂ，１０ｂの側面部１４ａ，１４ａ，１４ｂ，１４ｂは、上記センターシャーシ７の側辺１５にビス１６・・留めしている。
【００１３】
更に、上記長辺枠体１０ａ，１０ａ及び短辺枠体１０ｂ，１０ｂは、図４にて示す様に各両端部に連結片１７・・を一体に折曲形成していると共に、これら連結片に各々一対のビス孔１８・・を穿孔している。尚、これらビス孔１８・・の数や配列方向は上記実施例に限定されるものではなく、１個或いは３個以上でも良い。
【００１４】
又、上記底ケース４の内部にはランプ室１９を形成し、このランプ室内に冷陰極蛍光管や熱陰極蛍光管等から成る複数の線状光源２０・・を所謂直下型に収納配置していると共に、底ケース４の内面に反射板２１を装着している。
【００１５】
そこで、液晶パネル１やシート類の組み立てに際しては、底ケース４内に反射板２０や線状光源１９・・を装着した後、開口部５に光拡散板２等のシート類を載置し、次いでこれらシート類を押さえる様にセンターシャーシ７を底ケース４の鍔部６にビス８留めする。そして、センターシャーシ７の上片９上に液晶パネル１を載せ、これを押さえる様に長辺枠体１０ａ，１０ａ及び短辺枠体１０ｂ，１０ｂの側面部１４ａ，１４ａ，１４ｂ，１４ｂをセンターシャーシ７の側辺１５にビス１６・・留めし、次いで、同じくセンターシャーシ７の上面部１１ａ，１１ａ，１１ｂ，１１ｂをセンターシャーシ７の取付け片１２・・にビス１３留めすることで、液晶パネル１を固定し、かつ長辺枠体１０ａ，１０ａ及び短辺枠体１０ｂ，１０ｂの連結片１６・・をビス孔１８・・にてビス２１・・留めし、これらをコーナー部分で互いに連結する。
【００１６】
尚、上記実施例では連結片１６・・を正面よりビス２１・・留めする様に構成し、これにより長辺枠体１０ａ，１０ａ及び短辺枠体１０ｂ，１０ｂとセンターシャーシ７等の支持手段との間に間隙が生じない様にすると共に、ビス２１・・留め作業を行い易くする事が出来るものである。又、上記ビス孔１８・・を少し大きめに構成すれば、長辺枠体１０ａ，１０ａや短辺枠体１０ｂ，１０ｂの成形時における寸法誤差に応じてこれらの連結状態を調節する事が出来、寸法誤差の発生による枠体１０ａ，１０ａ，１０ｂ，１０ｂの変形を確実に防止する事が出来る。
【００１７】
上記の構成により、支持手段であるセンターシャーシ７の側辺１５と長辺枠体１０ａ，１０ａ及び短辺枠体１０ｂ，１０ｂの側面部１４ａ，１４ａ，１４ｂ，１４ｂとの間に、寸法誤差を吸収するための間隙を設ける必要がなく、これらの連結時にビス１６・・を締め付けても、枠体１０ａ，１０ａ，１０ｂ，１０ｂの締め付け部分が内側に変形して長辺枠体１０ａ，１０ａや短辺枠体１０ｂ，１０ｂに変形の原因となる応力が発生することがなく、応力の発生による液晶パネル１の表示品質への影響を防止すると同時に、寸法精度を向上する事が出来るものである。
【００１８】
一方、上記長辺枠体１０ａ，１０ａ及び短辺枠体１０ｂ，１０ｂの成形に際しては、例えば図５及び図６にて示す様に、これらの材料取りに適した寸法の平板状の金属板材２２及び２３を準備し、例えば図中に示す間隔にてプレス加工等により抜き取り成形することで、斜線にて示す廃材部分２４，２５を大幅に削減し、材料費の削減によるコストダウンを計る事が出来るものである。
【００１９】
尚、上記図５及び図６にて示す枠体１０ａ，１０ａ，１０ｂ，１０ｂの取り数や配列はこれに限定されるものではなく、例えば長辺枠体１０ａ，１０ａと短辺枠体１０ｂ，１０ｂを縦横に配列して１枚の板材から抜き取る様に構成しても良い。
【００２０】
【発明の効果】
本発明の構成により、液晶パネルの周辺を被覆する額縁状の金属フレームを、上下左右に分割した枠体にて構成したことで、この枠体を固定する支持手段との間に間隙を設ける必要がなく、これによりビス等によって枠体を支持手段に固定時に枠体に変形の原因となる応力が発生せず、応力の発生による表示パネルの表示品質への影響を防止出来ると共に、枠体を金属板材から抜き取って成形時に、廃材となる面積を大幅に低減し、コストダウンを計る事が出来るものである。
【００２１】
又本発明の構成により、液晶パネルを矩形状に構成した場合、上下の枠体と左右の枠体を大きさの異なる別々の板材から成形する様に構成したことで、板材の抜き取り後の廃材となる部分を少なくし、更にコストダウンを計る事が出来るものである。
【００２２】
更に本発明の構成により、枠体を支持手段に固定した後、枠体同士を連結する様に構成したことで、枠体と支持手段とを遊びを生じることなく確実に固定し、遊びの発生による枠体等の変形を防止する事が出来るものである。
【図面の簡単な説明】
【図１】本発明による実施例を示す正面図である。
【図２】同じく斜視図である。
【図３】図１中のＣ−Ｃ断面図である。
【図４】本発明による金属フレームの実施例を示す分解斜視図である。
【図５】本発明による工程の実施例を示す平面図である。
【図６】同じく本発明による工程の実施例を示す平面図である。
【図７】従来例を示す正面図である。
【図８】同じく従来例の工程を示す平面図である。
【図９】図７中のＡ−Ａ断面図である。
【図１０】同じく図７中のＢ−Ｂ断面図である。
【符号の説明】
１      液晶パネル
４      底ケース
７      センターシャーシ
１０    金属フレーム
１０ａ  長辺枠体
１０ｂ  短辺枠体
２１    板材
２２    板材
【図１】
0004013652.tif 000002
【図２】
0004013652.tif 000003
【図３】
0004013652.tif 000004
【図４】
0004013652.tif 000005
【図５】
0004013652.tif 000006
【図６】
0004013652.tif 000007
【図７】
0004013652.tif 000008
【図８】
0004013652.tif 000009
【図９】
0004013652.tif 000010
【図１０】
0004013652.tif 000011